(57)【要約】【課題】  従来の長方形に折り畳まれたティッシュペーパーを使用するものでありながら、より一層の省スペース化を実現することができ、しかも使い勝手の良いティッシュペーパーケースを提供する。【解決手段】  長方形に折り畳まれるとともに上下に多数積層されたティッシュペーパー（３０）を、真ん中で半分折りにし、折り曲げ部（３０ａ）が上方に位置するように逆Ｕ字状をなしたものを収容する本体（１０）と、正面視略半円形の蒲鉾状をなし、本体（１０）に収容されるティッシュペーパー（３０）の折り曲げ部（３０ａ）に沿って被装される上蓋（１０ａ）と、を備え、上蓋（１０ａ）には、中央に配設される拡幅部（１１）と、拡幅部（１１）の左右に連通して形成され、縁端部（１３）が本体（１０）の肩口近傍まで延設された左右細長形状の保持部（１２）と、からなる取り出し口（１０ｂ）が設けられた省スペース型ティッシュペーパーケースである。【選択図】  図２
0003131137.tif 000002
【実用新案登録請求の範囲】
【請求項１】
長方形に折り畳まれるとともに上下に多数積層されたティッシュペーパーを、真ん中で半分折りにし、折り曲げ部が上方に位置するように逆Ｕ字状をなしたものを収容する本体と、
正面視略半円形の蒲鉾状をなし、該本体に収容されるティッシュペーパーの折り曲げ部に沿って被装される上蓋と、を備え、
該上蓋には、中央に配設される拡幅部と、該拡幅部の左右に連通して形成され、縁端部が該本体の肩口近傍まで延設された左右細長形状の保持部と、からなるティッシュペーパー取り出しのための取り出し口が設けられた省スペース型ティッシュペーパーケース。
【請求項２】
該本体の底部を塞ぐ底蓋を備え、
該上蓋又は該底蓋が、該本体に対して高さ調節自在に係止可能となされた請求項１に記載の省スペース型ティッシュペーパーケース。
【請求項３】
該拡幅部が、前後方向に縦長の形状をなして配設された請求項１又は２に記載の省スペース型ティッシュペーパーケース。
【考案の詳細な説明】
【技術分野】
【０００１】
本考案は、ティッシュペーパーケースに関し、特に省スペース型のティッシュペーパーケースに関する。
【背景技術】
【０００２】
一般家庭の食卓等においてティッシュペーパーは不可欠であり、ティッシュペーパーを収納したティッシュボックスが食卓や居間のテーブル上に置かれて使用されている。
【０００３】
本願出願人は、ティッシュボックスを収納するケースとゴミ箱とを一体化し、且つ省スペース化を図る観点から、ゴミ箱の上部において、ティッシュボックスを載置可能なケースを、取手部の回動と連動して前後にスライド可能に設けた、ゴミ箱付ティッシュペーパーケースを提案している（特許文献１）。
【０００４】
【特許文献１】実用新案登録第３１２４８８０号
【考案の開示】
【考案が解決しようとする課題】
【０００５】
ところで、現在一般に市販されているティッシュボックスは、長方形に折り畳まれたティッシュペーパーを積層して収納する横長のティッシュボックスであるため、省スペース化を図るにも自ずと限界が生じる。従って、ハーフサイズ等のティッシュペーパーの使用が望まれるが、現在、ハーフサイズのティッシュペーパーは業務用等として数種類ほどが存在するだけで、１組あたりの価格も一般のものに比べて非常に高価であるため、我が国では全く普及していない。
【０００６】
そこで、本考案は上記問題に鑑みてなされたものであり、従来の長方形に折り畳まれたティッシュペーパーを使用するものでありながら、より一層の省スペース化を実現することができ、しかも使い勝手の良いティッシュペーパーケースを提供することを目的とするものである。
【課題を解決するための手段】
【０００７】
上記の課題を解決するために、請求項１に記載の省スペース型ティッシュペーパーケースは、長方形に折り畳まれるとともに上下に多数積層されたティッシュペーパーを、真ん中で半分折りにし、折り曲げ部が上方に位置するように逆Ｕ字状をなしたものを収容する本体と、正面視略半円形の蒲鉾状をなし、該本体に収容されるティッシュペーパーの折り曲げ部に沿って被装される上蓋と、を備え、該上蓋には、中央に配設される拡幅部と、該拡幅部の左右に連通して形成され、縁端部が該本体の肩口近傍まで延設された左右細長形状の保持部と、からなるティッシュペーパー取り出しのための取り出し口が設けられたことを要旨とする。
【０００８】
また、請求項２に記載の省スペース型ティッシュペーパーケースは、請求項１に記載の構成において、該本体の底部を塞ぐ底蓋を備え、該上蓋又は該底蓋が、該本体に対して高さ調節自在に係止可能となされたことを要旨とする。
【０００９】
また、請求項３に記載の省スペース型ティッシュペーパーケースは、請求項１又は２に記載の構成において、該拡幅部が、前後方向に縦長の形状をなして配設されたことを要旨とする。
【考案の効果】
【００１０】
本考案によれば、長方形に折り畳まれるとともに上下に多数積層されたティッシュペーパーを、真ん中で半分折りにし、折り曲げ部が上方に位置するように逆Ｕ字状をなしたものを収容する本体と、正面視略半円形の蒲鉾状をなし、該本体に収容されるティッシュペーパーの折り曲げ部に沿って被装される上蓋と、を備え、該上蓋には、中央に配設される拡幅部と、該拡幅部の左右に連通して形成され、縁端部が該本体の肩口近傍まで延設された左右細長形状の保持部と、からなるティッシュペーパー取り出しのための取り出し口が設けられた省スペース型ティッシュペーパーケースであるため、より一層の省スペース化を実現でき、しかも使い勝手の良いティッシュペーパーケースを提供することが可能となる。
【考案を実施するための最良の形態】
【００１１】
本考案に係る省スペース型ティッシュペーパーケースは、本体と上蓋とを備えて構成されるものである。ティッシュペーパーとしては、従来のティッシュボックス入りのもの、つまり１辺２００ｍｍ前後のペーパーをそれぞれ二つ折りして長方形に折り畳むとともに、これらを上下に積層したものを用いることができる。
ティッシュペーパーの収容枚数には制限は無いが、通常１５０組〜２００組程度である。本体及び上蓋の大きさ等は、収容するティッシュペーパーのサイズ、枚数に応じて種々の設計変更が可能である。
本体、上蓋等の各構成部材の素材についても限定は無く、例えば合成樹脂製や木製等とすることができる。
【００１２】
本考案に係る省スペース型ティッシュペーパーケースは、上蓋又は底蓋を、本体に対して高さ調節自在に係止可能に構成することもできる。上蓋を、本体に対して高さ調節自在に係止可能とする場合には、上蓋と本体とを別体にて形成すればよい。高さ調節自在に係止可能とするための手段としては、既知のものを制限無く使用してよく、例えば嵌合孔、突起、螺子、面ファスナー、バネ等が挙げられる。
【実施例１】
【００１３】
本考案の一実施形態を、図１〜図４を参照して説明する。図１はティッシュペーパーケースの正面図（一部破断図）、図２はティッシュペーパーケースの側面図、図３はティッシュペーパーケースの平面図、図４はティッシュペーパーの挿入状況を示す側面図である。
【００１４】
本実施例に係るティッシュペーパーケースは、図１〜図３に示すように、本体（１０）と、上蓋（１０ａ）と、底蓋（２０）とを備えて構成されるものである。
本体（１０）は、立方体形に近い箱状をなし、底部が開口されるとともに、図１〜図３に示す如く上部に上蓋（１０ａ）が連成されている。
【００１５】
上蓋（１０ａ）は、図１〜図２に示すように、正面視略半円形の蒲鉾状をなし、本体（１０）と一体に成形されている。上蓋（１０ａ）には、図１〜図３に示すように、ティッシュペーパー（３０）取り出しのための取り出し口（１０ｂ）が形成されている。取り出し口（１０ｂ）は、中央に配設され、コーナーがやや丸みを帯びた六角形状をなす拡幅部（１１）と、その左右に連通して形成されて、突出するティッシュペーパー（３０）の両端を保持するための保持部（１２）と、から構成されている。保持部（１２）は、上蓋（１０ａ）のアーチに沿って、細長に、且つ縁端部（１３）に向かって次第に窄まった形状をなすとともに、縁端部（１３）が丸みを帯びて形成されている。縁端部（１３）は、本体（１０）の肩口（１３ａ）近傍にまで延設されており、これにより取り出し口（１０ｂ）は、図１及び図２に示す左右長Ｌ、高さＨを有している。
【００１６】
底蓋（２０）は、本体（１０）の底部を塞ぐものであり、図１に示すように、屈曲部（２１）が設けられた形状をなしている。そして、底蓋（２０）の左右端部が本体（１０）内側面に所望の位置で弾力的に当接することにより、図１に示す（２０）から（２２）の位置まで高さ調節自在に係止されるものである。底蓋（２０）は、左右の屈曲部（２１）を外側から押圧して全体を左右方向内側に撓ませることで、本体（１０）への着脱が容易に行えるようになっている。
なお、図１〜図２に示すように、本体（１０）内側の適宜の位置には係止突起（１４）を数段設けて、底蓋の不意の落下を防止している。
【００１７】
本実施例に係るティッシュペーパーケースの使用に際しては、まず底蓋（２０）を開けて、内部にティッシュペーパー（３０）を収容する。本実施例では、底蓋（２０）が屈曲部（２１）によって凹部を有する形状となされているため、図４に示すように、本体（１０）及び上蓋（１０ａ）を、上蓋（１０ａ）が下にくるように上下逆さまにした状態で、底蓋（２０）の凹部に安定支持させ、ティッシュペーパー（３０）を本体（１０）の底部側から挿入して収容できるようになっている。
なお、上蓋（１０ａ）の頂面を一部平坦に形成することによって、ティッシュペーパー（３０）挿入時の安定化を図ることとしてもよい。
【００１８】
ティッシュペーパー（３０）は、一般に市販されている長方形に折り畳まれた、ティッシュボックス入りのものを、ボックスから取り出して用いることができる。すなわち、上下に多数積層されたティッシュペーパー（３０）をまとめて真ん中で半分折りにし、図４に示すように、折り曲げ部（３０ａ）を形成して本体（１０）内部にそのまま収容する。上蓋（１０ａ）は、このようにして収容されるティッシュペーパー（３０）の折り曲げ部（３０ａ）に沿って、これをちょうど被装できる大きさ・形状となされているものである。
【００１９】
次いで、底蓋（２０）を閉じて全体を上下反転し、折り曲げ部（３０ａ）が上方に位置するようにした後、上蓋（１０ａ）の取り出し口（１０ｂ）からティッシュペーパー（３０）を１枚ずつ取り出して使用する。このとき、ティッシュペーパー（３０）の折り曲げ部（３０ａ）を上方から軽く押さえ、取り出し口（１０ｂ）との間に２ｃｍ程度の隙間を形成して取り出し抵抗を減じた上で、ティッシュペーパー（３０）の取り出しを始めることが好ましい。
また、ティッシュペーパー（３０）は、１枚取り出す毎に次のペーパーが順次突出されるように、交互に係合して折り畳まれているものである。
【００２０】
収容されるティッシュペーパー（３０）の残量が少なくなってきた場合、次のペーパーが下に落ち易くなるが、底蓋（２０）を高さ調節自在に係止しているため、底蓋（２０）を適宜上方に移動させることで、これを防ぐことができる。
なお、底蓋（２０）の中央部に仕切り板を突設し、仕切り板を跨いで左右にティッシュペーパー（３０）を配設するようにしてもよい。仕切り板を設けることにより、ティッシュペーパー（３０）を安定して収容することができる。
【００２１】
本実施例のティッシュペーパーケースによれば、ティッシュペーパー（３０）の両端が、図１〜図２に示すように、保持部（１２）にしっかりと保持されるため、ティッシュペーパー（３０）が皺になり難く綺麗に取り出せるとともに、風や空気の対流によってティッシュペーパー（３０）が本体（１０）の中に戻されるおそれがない。ペーパー送りも確実に行われ、また、拡幅部（１１）が前後に奥行きのある形状であるため、ティッシュペーパー（３０）をつまみ出し易い。
【００２２】
また、本実施例のティッシュペーパーケースによれば、取り出し口（１０ｂ）が左右長Ｌ、高さＨをなして形成されており、逆Ｕ字状に半分折りしたティッシュペーパー（３０）が、上蓋（１０ａ）のアーチ形状に沿って収容されることとなるため、ティッシュペーパー（３０）の取り出し時の抵抗、とりわけ本体（１０）の肩口（１３ａ）部分での抵抗を著しく抑えることが可能となる。
仮に上蓋（１０ａ）をフラットに形成するのであれば、本実施例のように多数のティッシュペーパーを逆Ｕ字状に詰め込んだ場合、本体（１０）の肩口（１３ａ）部分に生じる取り出し抵抗によって、取り出し時にペーパーが破れるおそれが充分にある。特に長方形に折り畳まれたティッシュペーパーは、一般に短辺方向への引張り力に弱い。
これに対して、本実施例のティッシュペーパーケースによれば、上記した如くの構成であるため、ティッシュペーパー（３０）を取り出し易く、しかも取り出し時にティッシュペーパー（３０）が破れ難いため、非常に使い勝手が良い。また、容積の割りに多量のティッシュペーパー（３０）を収容可能であるため、製品輸送等にかかるコストを低減できるという利点がある。
さらに、上蓋（１０ａ）及び取り出し口（１０ｂ）の構造によって、ティッシュペーパー（３０）の上蓋（１０ａ）からの突出長を小さくできるため、見栄えも良好となる。
【実施例２】
【００２３】
本考案の第２の実施例について、図５（ａ）（ｂ）に基づき説明する。図５（ａ）はティッシュボックスを示す斜視図、図５（ｂ）は（ａ）を折り曲げた状態を示す斜視図である。
【００２４】
本実施例は、ティッシュペーパーの収容態様に関する変形例を示したものである。まず、図５（ａ）に示す如く、一般に市販されている横長直方体形状のティッシュボックス（４０）に、所定の切り込み（４１）を入れ、切除部（４２）を除去する。
そして、図５（ｂ）に示すように、ティッシュボックス（４０）から一部が露出したティッシュペーパー（４５）をティッシュボックス（４０）ごと半分折りにし、そのまま本発明のティッシュペーパーケースに挿入して収容する。従って、本実施例の場合の本体は、前実施例のものに比べて、やや大きめに形成しておく。
【００２５】
本実施例によれば、本体へのティッシュペーパー（４５）の挿入を下方から簡単に行うことができる。しかも、ティッシュペーパー（４５）の残量が少なくなってきても、内部でティッシュペーパー（４５）が形くずれを起こすのを防ぐことができる。
【実施例３】
【００２６】
本考案のその他の実施形態について、図６〜図７を参照して説明する。図６はティッシュペーパーケースの側面図、図７はティッシュペーパーケースの平面図である。
本実施例は、特に取り出し口の形状について、好ましい変形例を示したものである。実施例１と共通する構成については、同一の符号を付してその説明を省略している。
【００２７】
図６〜図７に示すように、本実施例に係る取り出し口（１０ｂ’）は、拡幅部（１１’）と保持部（１２）とからなり、拡幅部（１１’）が、上蓋（１０ａ）の中央において、前後方向に縦長の略楕円形をなして構成されている。保持部（１２）は、拡幅部（１１’）に連通するとともに、左右に延設して形成されている。
【００２８】
本実施例においても、ティッシュペーパー（３０）として、従来のティッシュボックス入りのものを用いるが、ティッシュボックス入りのティッシュペーパーは、連続して１枚ずつ取り出すことができるように、通常、長方形状に二つ折りしたペーパーを交互に係合して積層させている。本実施例のような取り出し口（１０ｂ’）の形状によれば、収容したティッシュペーパー（３０）を取り出すごとに、ティッシュペーパー（３０）の中央部分が拡幅部（１１’）の前端側、及び後端側に交互に、確実に保持されることとなる。同時に、ティッシュペーパー（３０）の左右両端についても、保持部（１２）によって保持されるため、ティッシュペーパー（３０）が取り出し口（１０ｂ’）において立体的に支持されることとなり、下方に落下し難い。しかも、ティッシュペーパー（３０）の取り出しも非常にスムーズに行うことができる。
なお、拡幅部（１１’）は、上記した略楕円形の他に、例えば縦長の矩形や多角形等であってもよい。
また、通常のティッシュボックスの取り出し口は最初の一枚が取り出し難いが、この形態であれば、これもきわめて容易である。
【００２９】
以上の実施例の記述は、本考案をこれに限定するものではなく、本考案の要旨を逸脱しない範囲で種々の設計変更が可能である。
【産業上の利用可能性】
【００３０】
本考案は、従来の長方形に折り畳まれたティッシュペーパーを使用するものでありながら、より一層の省スペース化を実現することができ、しかも使い勝手の良いティッシュペーパーケースを提供するものであり、産業上の利用可能性を有する。
【図面の簡単な説明】
【００３１】
【図１】ティッシュペーパーケースの正面図（一部破断図）である。
【図２】ティッシュペーパーケースの側面図である。
【図３】ティッシュペーパーケースの平面図である。
【図４】ティッシュペーパーの挿入状況を示す側面図である。
【図５】（ａ）ティッシュボックスを示す斜視図、（ｂ）（ａ）を折り曲げた状態を示す斜視図である。
【図６】他の実施形態に係るティッシュペーパーケースの側面図である。
【図７】他の実施形態に係るティッシュペーパーケースの平面図である。
【符号の説明】
【００３２】
１０  本体
１０ａ  上蓋
１０ｂ、１０ｂ’  取り出し口
１１、１１’  拡幅部
１２  保持部
１３  縁端部
１４  係止突起
２０  底蓋
２１  屈曲部
２２  底蓋
３０  ティッシュペーパー
３０ａ  折り曲げ部
【図１】
0003131137.tif 000003
【図２】
0003131137.tif 000004
【図３】
0003131137.tif 000005
【図４】
0003131137.tif 000006
【図５】
0003131137.tif 000007
【図６】
0003131137.tif 000008
【図７】
0003131137.tif 000009